(57)【要約】      （修正有）【課題】ファンブレードが回転軸より外向きに放射して延伸することにより、従来より強風に耐え、吹き切れて解体しにくいタービン風力発電機を提供する。【解決手段】タービン風力発電機は、一つのテーパー状のウィンドディスク１０と、複数個のファンブレード２０と一つの風力発電機３０を含み、ウィンドディスクに一つの大面積の入り口１１が設けられ、ウィンドディスクが風力を収集でき、ファンブレードが、ウィンドディスクの比較的小さい面積の出口後方における一つの風洞２３の内に設けられ、ファンブレードが等価な角度により一つの回転軸２１の上に均一に設置され、且つ４５度に等しいか又は小さい角度により後ろ向きに延伸して回転軸の上に固定される。【選択図】図２
0003226375.tif 000002
【実用新案登録請求の範囲】
【請求項１】
タービン風力発電機は、一つのテーパー状のウィンドディスクを含んでなり、
該ウィンドディスクに一つの大面積の入り口が設けられ、
該ウィンドディスクが風力を収集でき、該ウィンドディスクが風力を収集できる設計を介してファンブレードの稼動がより効率的になることにより発電の効率を増進できることを特徴とする、タービン風力発電機。
【請求項２】
該タービン風力発電機は、更に複数個のファンブレードを含んでなり、
該等ファンブレードが、該ウィンドディスクの比較的小さい面積の出口後方における一つの風洞の内に設けられ、
該風洞の設計により、風力を外向きに分散しないことを確保することを特徴とする、請求項1に記載のタービン風力発電機。
【請求項３】
該等ファンブレードが、風洞の内に設置され、等価な角度により一つの回転軸の上に均一に設置され、更に60度に等しいか又は小さい角度により後ろ向きに延伸し且つ該回転軸の上に固定され、そして風によりプッシュされて稼動でき、ファンブレードを後ろ向きに延伸する設計により、ファンブレードの風当たり面積を増加して風力のピックアップ能力を増進し、発電の効率を向上することを特徴とする、請求項2に記載のタービン風力発電機。
【請求項４】
該タービン風力発電機は、一つの風力発電機を更に含んでなり、
該風力発電機が一つのアクチュエータを介して互いに該回転軸に接続されることにより、該回転軸が稼動する時に、該風力発電機を連動して同期的に稼動して発電を生成できることを特徴とする、請求項3に記載のタービン風力発電機。
【請求項５】
該等ファンブレードが回転軸に沿って後ろ向きに延伸する設計により、
ファンブレードが回転軸の上に固定でき、目前に慣用の三ファンブレード水平軸式風力発電機と比較し、そのファンブレードが回転軸より外向きに放射して延伸することにより、より強風に耐え、吹き切れて解体しにくくなり、もっと丈夫で耐久性があることを特徴とする、請求項4に記載のタービン風力発電機。
【請求項６】
該回転軸の末端に一つの風向ガイドプレートが設けられ、
該風力発電機が一つの回転プラットフォームの上に設けられ、
該回転プラットフォームがブラケットにて互いに該回転軸に接続されることにより、該回転軸、該ウィンドディスクと該風力発電機が、該回転プラットフォームの上に時計回り方向又は反時計回り方向へ向けて回転でき、且つ
該回転プラットフォームが一つのベース台の上に設けられることにより、該風向ガイドプレートにて、該回転軸と該ウィンドディスクは、風向に連れて転向し、来る風を迎えることができ、そして風力をもっと収集しやすくなることを特徴とする、請求項4に記載のタービン風力発電機。ことを特徴とする、請求項5に記載のタービン風力発電機。
【考案の詳細な説明】
【技術分野】
【０００１】
本考案は、タービン風力発電機に関するもので、特に風力を収集することによりファンブレードがもっと効率的に稼動できるタービン風力発電機を、指す。
【背景技術】
【０００２】
それ故に、一般に周知の風力発電機は、風力を介して複数個のファンブレードをプッシュすることにより、該等ファンブレードが一つの風力発電機を同期的に連動して回転し、そして発電を生成する。
【考案の概要】
【考案が解決しようとする課題】
【０００３】
しかしながら、該周知の風力発電機は、風力を収集できないので、ファンブレードの稼動効率が悪くなることを招き、そして発電の効果が悪くなる。
【０００４】
これにより、上記の慣用の品物は、依然として沢山の欠点があり、実に良好な設計ではなく、そして極めて改良する必要があることが分かる。
【０００５】
これに鑑み、本考案の創作者は、多年にわたって関連製品に従事する製造開発および設計経験に基づき、上記の目標に対し、より詳しく設計し且つ慎重に評価した後に、ようやく確かに実用性を有する本考案を取得する。
【課題を解決するための手段】
【０００６】
本考案の目的は、タービン風力発電機を提供するもので、該タービン風力発電機が、風力を収集することにより、ファンブレードがもっと効率的に稼動し、そして発電の効果を増進できる。
【０００７】
上記の目的に基づき、本考案のタービン風力発電機は、主として一つのテーパー状のウィンドディスク、複数個のファンブレードと一つの風力発電機を含んでなり、その中でも、該ウィンドディスクに一つの大面積の入り口が設けられ、該ウィンドディスクが風力を収集でき、該等ファンブレードが、該ウィンドディスクの比較的小さい面積の出口後方における一つの風洞の内に設けられ、該等ファンブレードが等価な角度により一つの回転軸の上に均一に設置され、且つ45度に等しいか又は小さい角度により後ろ向きに延伸して該回転軸の上に固定され、そして風によりプッシュされて稼動でき、該等ファンブレードが稼動する時に、該回転軸を同時に連動して稼動を生成でき、該風力発電機が一つのアクチュエータを介して互いに該回転軸に接続されることにより、該回転軸が稼動する時に、該風力発電機を連動して同期的に稼動して発電を生成でき、これにより、該ウィンドディスクが風力を収集できる設計を介して、ファンブレードの稼動がもっと効率的になることにより、発電の効果を増進でき、且つ該風洞の設計により、風力を外向きに分散しないことを確保し、更にファンブレードを後ろ向きに延伸する設計を介して、ファンブレードが風当たりの面積を増加してもっと効率的に風力をピックアップすることにより、発電効率の向上効果を達成し、その他に更にファンブレードが回転軸に沿って後ろ向きに延伸する設計を介して、ファンブレードが回転軸の上に固定でき、目前に慣用の三ファンブレード水平軸式風力発電機と比較し、そのファンブレードが回転軸より外向きに放射して延伸することにより、もっと強風に耐え、吹き切れて解体しにくくなる。
【０００８】
出願人は、本考案の目的、形状、構造・装置・特徴およびその効果について、ひいては更なる認識および理解をもっと達成できるために、実施例を挙げて図面に対応し、下記の通りで、詳しく説明する。
【図面の簡単な説明】
【０００９】
【図１】本考案のタービン風力発電機の外観模式図である。
【図２】本考案のタービン風力発電機の作動模式図である。
【考案を実施するための形態】
【００１０】
本考案は、「タービン風力発電機」に関するもので、図１と図２を参照して示し、本考案のタービン風力発電機が、主として一つのテーパー状のウィンドディスク10、複数個のファンブレード20と一つの風力発電機30を含んでなる。
【００１１】
その中でも、該ウィンドディスク10に一つの大面積の入り口11が設けられ、該ウィンドディスク10が風力を収集できる。
【００１２】
該等ファンブレード20が、該ウィンドディスク10の比較的小さい面積の出口12の後方における一つの風洞23の内に設けられ、該等ファンブレード20が等価な角度により一つの回転軸21の上に均一に設置され、且つ45度に等しいか又は小さい角度により後ろ向きに延伸して該回転軸21の上に固定され、そして風によりプッシュされて稼動でき、該等ファンブレード20が稼動する時に、該回転軸21を同時に連動して稼動を生成できる。
【００１３】
該風力発電機30が一つのアクチュエータ34を介して互いに該回転軸21に接続されることにより、該回転軸21が稼動する時に、該風力発電機30を連動して同期的に稼動して発電を生成できる。
【００１４】
上記の部材の構造により、使用時に、該ウィンドディスク10が風力を収集できる設計を介して、ファンブレード20の稼動がもっと効率的になることにより、発電の効果を増進でき、且つ該風洞23の設計により、風力を外向きに分散しないことを確保し、更にファンブレード20を後ろ向きに延伸する設計を介して、ファンブレード20が風当たりの面積を増加してもっと効率的に風力をピックアップすることにより、発電効率の向上効果を達成し、その他に更にファンブレード20が回転軸21に沿って後ろ向きに延伸する設計を介して、ファンブレード20が回転軸21の上に固定でき、目前に慣用の三ファンブレード水平軸式風力発電機と比較し、そのファンブレードが回転軸より外向きに放射して延伸することにより、もっと強風に耐え、吹き切れて解体しにくくなる。
【００１５】
更に図1と図2を参照して示し、該回転軸21の末端に一つの風向ガイドプレート22が設けられ、該風力発電機30が一つの回転プラットフォーム31の上に設けられ、該回転プラットフォーム31がブラケット32にて互いに該回転軸21に接続されることにより、該回転軸21、該ウィンドディスク10と該風力発電機30が、該回転プラットフォーム31の上に時計回り方向又は反時計回り方向へ向けて回転でき、且つ該回転プラットフォーム31が一つのベース台33の上に設けられることにより、該風向ガイドプレート22にて、該回転軸21と該ウィンドディスク10は、風向に連れて転向でき、そして風力をもっと収集しやすくなる。
【００１６】
上記を総合し、本考案のタービン風力発電機は、確かに前例のない創新構造を有し、既に該タービン風力発電機が未だ如何なる刊行物に掲示されず、且つ市場上にも如何なる類似の製品が見えず、従って勿論、問題なく本考案のタービン風力発電機が新規性を有する。その他に本考案の有する特殊な特徴および機能は、極めて従来により比較できず、従って従来に比べて確かに進歩性を更に有し、そして我が国の特許法の実用新案登録請求に関する出願要件の規定に合致し、故に特許法に基づいて実用新案登録請求を出願する。
【００１７】
以上の叙述は、単に本考案の最も良好かつ具体的な実施例だけであり、本考案の構造・特徴がこれに限らないもので、如何なるこの技術に習熟する者は、本考案の領域内において、簡単に思い出してもよい変更または潤色が、何れも以下の本考案の実用新案登録請求の範囲内に含んでもよい。
【符号の説明】
【００１８】
10  ウィンドディスク  
11  入り口
12  出口
20  ファンブレード
21  回転軸
22  エアコントロールパネル  
23  風洞
30  風力発電機
31  回転プラットフォーム  
32  ブラケット
33  ベース台  
34  アクチュエータ   
【図１】
0003226375.tif 000003
【図２】
0003226375.tif 000004
【手続補正書】
【提出日】令和1年12月19日(2019.12.19)
【手続補正１】
【補正対象書類名】実用新案登録請求の範囲
【補正対象項目名】全文
【補正方法】変更
【補正の内容】
【実用新案登録請求の範囲】
【請求項１】
タービン風力発電機は、一つのテーパー状のウィンドディスクを含んでなり、
該ウィンドディスクに一つの大面積の入り口が設けられ、
該ウィンドディスクが風力を収集する風力収集機構を備え、該風力収集機構を利用することによりファンブレードを稼動することを特徴とする、タービン風力発電機。
【請求項２】
該タービン風力発電機は、更に複数個のファンブレードを含んでなり、
該ファンブレードが、該ウィンドディスクの比較的小さい面積の出口後方における一つの風洞の内に設けられることにより、風力を外向きに分散しないことを特徴とする、請求項1に記載のタービン風力発電機。
【請求項３】
該ファンブレードが、風洞の内に設置され、等価な角度により一つの回転軸の上に均一に設置され、更に60度に等しいか又は小さい角度により後ろ向きに延伸し且つ該回転軸の上に固定され、そして風によりプッシュされて稼動でき、ファンブレードを後ろ向きに延伸する設計により、ファンブレードの風当たり面積を増加して風力のピックアップ能力を増進し、発電の効率を向上することを特徴とする、請求項2に記載のタービン風力発電機。
【請求項４】
該タービン風力発電機は、一つの風力発電機を更に含んでなり、
該風力発電機が一つのアクチュエータを介して互いに該回転軸に接続されることにより、該回転軸が稼動する時に、該風力発電機を連動して同期的に稼動して発電を生成できることを特徴とする、請求項3に記載のタービン風力発電機。
【請求項５】
該ファンブレードが回転軸に沿って後ろ向きに延伸する設計により、
ファンブレードが回転軸上に固定でき、そのファンブレードが回転軸より外向きに放射して延伸することを特徴とする、請求項4に記載のタービン風力発電機。
【請求項６】
該回転軸の末端に一つの風向ガイドプレートが設けられ、
該風力発電機が一つの回転プラットフォームの上に設けられ、
該回転プラットフォームがブラケットにて互いに該回転軸に接続されることにより、該回転軸、該ウィンドディスクと該風力発電機が、該回転プラットフォームの上に時計回り方向又は反時計回り方向へ向けて回転でき、且つ
該回転プラットフォームが一つのベース台の上に設けられることにより、該風向ガイドプレートにて、該回転軸と該ウィンドディスクは、風向に連れて転向し、来る風を迎えることができ、そして風力をもっと収集しやすくなることを特徴とする、請求項5に記載のタービン風力発電機。
【手続補正２】
【補正対象書類名】明細書
【補正対象項目名】０００７
【補正方法】変更
【補正の内容】
【０００７】
上記の目的に基づき、本考案のタービン風力発電機は、主として一つのテーパー状のウィンドディスク、複数個のファンブレードと一つの風力発電機を含んでなり、その中でも、該ウィンドディスクに一つの大面積の入り口が設けられ、該ウィンドディスクが風力を収集でき、該等ファンブレードが、該ウィンドディスクの比較的小さい面積の出口後方における一つの風洞の内に設けられ、該等ファンブレードが等価な角度により一つの回転軸の上に均一に設置され、且つ45度に等しいか又は小さい角度により後ろ向きに延伸して該回転軸の上に固定され、そして風によりプッシュされて稼動でき、該等ファンブレードが稼動する時に、該回転軸を同時に連動して稼動を生成でき、該風力発電機が一つのアクチュエータを介して互いに該回転軸に接続されることにより、該回転軸が稼動する時に、該風力発電機を連動して同期的に稼動して発電を生成でき、これにより、該ウィンドディスクが風力を収集できる設計を介して、ファンブレードの稼動がもっと効率的になることにより、発電の効果を増進でき、且つ該風洞の設計により、風力を外向きに分散しないことを確保し、更にファンブレードを後ろ向きに延伸する設計を介して、ファンブレードが風当たりの面積を増加してもっと効率的に風力をピックアップすることにより、発電効率の向上効果を達成し、その他に更にファンブレードが回転軸に沿って後ろ向きに延伸する設計を介して、ファンブレードが回転軸の上に固定でき、目前に慣用の三ファンブレード水平軸式風力発電機と比較し、そのファンブレードが回転軸より外向きに放射して延伸することにより、もっと強風に耐え、吹き切れて解体しにくくなる。
更に、本考案のタービン風力発電機は、一つのテーパー状のウィンドディスクを含んでなり、
該ウィンドディスクに一つの大面積の入り口が設けられ、
該ウィンドディスクが風力を収集する風力収集機構を備え、該風力収集機構を利用することによりファンブレードを稼動する。
また、該タービン風力発電機は、更に複数個のファンブレードを含んでなり、
該ファンブレードが、該ウィンドディスクの比較的小さい面積の出口後方における一つの風洞の内に設けられることにより、風力を外向きに分散しない。
また、該ファンブレードが、風洞の内に設置され、等価な角度により一つの回転軸の上に均一に設置され、更に60度に等しいか又は小さい角度により後ろ向きに延伸し且つ該回転軸の上に固定され、そして風によりプッシュされて稼動でき、ファンブレードを後ろ向きに延伸する設計により、ファンブレードの風当たり面積を増加して風力のピックアップ能力を増進し、発電の効率を向上する。
更に、該タービン風力発電機は、一つの風力発電機を更に含んでなり、
該風力発電機が一つのアクチュエータを介して互いに該回転軸に接続されることにより、該回転軸が稼動する時に、該風力発電機を連動して同期的に稼動して発電を生成できる。
また、該ファンブレードが回転軸に沿って後ろ向きに延伸する設計により、
ファンブレードが回転軸上に固定でき、そのファンブレードが回転軸より外向きに放射して延伸する。
また、該回転軸の末端に一つの風向ガイドプレートが設けられ、
該風力発電機が一つの回転プラットフォームの上に設けられ、
該回転プラットフォームがブラケットにて互いに該回転軸に接続されることにより、該回転軸、該ウィンドディスクと該風力発電機が、該回転プラットフォームの上に時計回り方向又は反時計回り方向へ向けて回転でき、且つ
該回転プラットフォームが一つのベース台の上に設けられることにより、該風向ガイドプレートにて、該回転軸と該ウィンドディスクは、風向に連れて転向し、来る風を迎えることができ、そして風力をもっと収集しやすくなる。
【手続補正書】
【提出日】令和1年12月19日(2019.12.19)
【手続補正１】
【補正対象書類名】実用新案登録請求の範囲
【補正対象項目名】全文
【補正方法】変更
【補正の内容】
【実用新案登録請求の範囲】
【請求項１】
タービン風力発電機は、一つのテーパー状のウィンドディスクを含んでなり、
該ウィンドディスクに一つの大面積の入り口が設けられ、
該ウィンドディスクが風力を収集する風力収集機構を備え、該風力収集機構を利用することによりファンブレードを稼動することを特徴とする、タービン風力発電機。
【請求項２】
該タービン風力発電機は、更に複数個のファンブレードを含んでなり、
該ファンブレードが、該ウィンドディスクの比較的小さい面積の出口後方における一つの風洞の内に設けられることにより、風力を外向きに分散しないことを特徴とする、請求項1に記載のタービン風力発電機。
【請求項３】
該ファンブレードが、風洞の内に設置され、等価な角度により一つの回転軸の上に均一に設置され、更に60度に等しいか又は小さい角度により後ろ向きに延伸し且つ該回転軸の上に固定され、そして風によりプッシュされて稼動でき、ファンブレードを後ろ向きに延伸する設計により、ファンブレードの風当たり面積を増加して風力のピックアップ能力を増進し、発電の効率を向上することを特徴とする、請求項2に記載のタービン風力発電機。
【請求項４】
該タービン風力発電機は、一つの風力発電機を更に含んでなり、
該風力発電機が一つのアクチュエータを介して互いに該回転軸に接続されることにより、該回転軸が稼動する時に、該風力発電機を連動して同期的に稼動して発電を生成できることを特徴とする、請求項3に記載のタービン風力発電機。
【請求項５】
該ファンブレードが回転軸に沿って後ろ向きに延伸する設計により、
ファンブレードが回転軸上に固定でき、そのファンブレードが回転軸より外向きに放射して延伸することを特徴とする、請求項4に記載のタービン風力発電機。
【請求項６】
該回転軸の末端に一つの風向ガイドプレートが設けられ、
該風力発電機が一つの回転プラットフォームの上に設けられ、
該回転プラットフォームがブラケットにて互いに該回転軸に接続されることにより、該回転軸、該ウィンドディスクと該風力発電機が、該回転プラットフォームの上に時計回り方向又は反時計回り方向へ向けて回転でき、且つ
該回転プラットフォームが一つのベース台の上に設けられることにより、該風向ガイドプレートにて、該回転軸と該ウィンドディスクは、風向に連れて転向し、来る風を迎えることができ、そして風力をもっと収集しやすくなることを特徴とする、請求項4に記載のタービン風力発電機。ことを特徴とする、請求項5に記載のタービン風力発電機。
【手続補正書】
【提出日】令和2年1月10日(2020.1.10)
【手続補正１】
【補正対象書類名】実用新案登録請求の範囲
【補正対象項目名】全文
【補正方法】変更
【補正の内容】
【実用新案登録請求の範囲】
【請求項１】
タービン風力発電機は、一つのテーパー状のウィンドディスクを含んでなり、
該ウィンドディスクに一つの大面積の入り口が設けられ、
該ウィンドディスクが風力を収集する風力収集機構を備え、該風力収集機構を利用することによりファンブレードを稼動することを特徴とする、タービン風力発電機。
【請求項２】
該タービン風力発電機は、更に複数個のファンブレードを含んでなり、
該ファンブレードが、該ウィンドディスクの比較的小さい面積の出口後方における一つの風洞の内に設けられることにより、風力を外向きに分散しないことを特徴とする、請求項1に記載のタービン風力発電機。
【請求項３】
該ファンブレードが、風洞の内に設置され、等価な角度により一つの回転軸の上に均一に設置され、更に60度に等しいか又は小さい角度により後ろ向きに延伸し且つ該回転軸の上に固定され、そして風によりプッシュされて稼動でき、ファンブレードを後ろ向きに延伸する設計により、ファンブレードの風当たり面積を増加して風力のピックアップ能力を増進し、発電の効率を向上することを特徴とする、請求項2に記載のタービン風力発電機。
【請求項４】
該タービン風力発電機は、一つの風力発電機を更に含んでなり、
該風力発電機が一つのアクチュエータを介して互いに該回転軸に接続されることにより、該回転軸が稼動する時に、該風力発電機を連動して同期的に稼動して発電を生成できることを特徴とする、請求項3に記載のタービン風力発電機。
【請求項５】
該ファンブレードが回転軸に沿って後ろ向きに延伸する設計により、
ファンブレードが回転軸上に固定でき、そのファンブレードが回転軸より外向きに放射して延伸することを特徴とする、請求項4に記載のタービン風力発電機。
【請求項６】
該回転軸の末端に一つの風向ガイドプレートが設けられ、
該風力発電機が一つの回転プラットフォームの上に設けられ、
該回転プラットフォームがブラケットにて互いに該回転軸に接続されることにより、該回転軸、該ウィンドディスクと該風力発電機が、該回転プラットフォームの上に時計回り方向又は反時計回り方向へ向けて回転でき、且つ
該回転プラットフォームが一つのベース台の上に設けられることにより、該風向ガイドプレートにて、該回転軸と該ウィンドディスクは、風向に連れて転向し、来る風を迎えることができ、そして風力をもっと収集しやすくなることを特徴とする、請求項5に記載のタービン風力発電機。
【手続補正２】
【補正対象書類名】明細書
【補正対象項目名】０００７
【補正方法】変更
【補正の内容】
【０００７】
上記の目的に基づき、本考案のタービン風力発電機は、主として一つのテーパー状のウィンドディスク、複数個のファンブレードと一つの風力発電機を含んでなり、その中でも、該ウィンドディスクに一つの大面積の入り口が設けられ、該ウィンドディスクが風力を収集でき、該等ファンブレードが、該ウィンドディスクの比較的小さい面積の出口後方における一つの風洞の内に設けられ、該等ファンブレードが等価な角度により一つの回転軸の上に均一に設置され、且つ45度に等しいか又は小さい角度により後ろ向きに延伸して該回転軸の上に固定され、そして風によりプッシュされて稼動でき、該等ファンブレードが稼動する時に、該回転軸を同時に連動して稼動を生成でき、該風力発電機が一つのアクチュエータを介して互いに該回転軸に接続されることにより、該回転軸が稼動する時に、該風力発電機を連動して同期的に稼動して発電を生成でき、これにより、該ウィンドディスクが風力を収集できる設計を介して、ファンブレードの稼動がもっと効率的になることにより、発電の効果を増進でき、且つ該風洞の設計により、風力を外向きに分散しないことを確保し、更にファンブレードを後ろ向きに延伸する設計を介して、ファンブレードが風当たりの面積を増加してもっと効率的に風力をピックアップすることにより、発電効率の向上効果を達成し、その他に更にファンブレードが回転軸に沿って後ろ向きに延伸する設計を介して、ファンブレードが回転軸の上に固定でき、目前に慣用の三ファンブレード水平軸式風力発電機と比較し、そのファンブレードが回転軸より外向きに放射して延伸することにより、もっと強風に耐え、吹き切れて解体しにくくなる。
更に、本考案のタービン風力発電機は、一つのテーパー状のウィンドディスクを含んでなり、
該ウィンドディスクに一つの大面積の入り口が設けられ、
該ウィンドディスクが風力を収集する風力収集機構を備え、該風力収集機構を利用することによりファンブレードを稼動する。
また、該タービン風力発電機は、更に複数個のファンブレードを含んでなり、
該ファンブレードが、該ウィンドディスクの比較的小さい面積の出口後方における一つの風洞の内に設けられることにより、風力を外向きに分散しない。
また、該ファンブレードが、風洞の内に設置され、等価な角度により一つの回転軸の上に均一に設置され、更に60度に等しいか又は小さい角度により後ろ向きに延伸し且つ該回転軸の上に固定され、そして風によりプッシュされて稼動でき、ファンブレードを後ろ向きに延伸する設計により、ファンブレードの風当たり面積を増加して風力のピックアップ能力を増進し、発電の効率を向上する。
更に、該タービン風力発電機は、一つの風力発電機を更に含んでなり、
該風力発電機が一つのアクチュエータを介して互いに該回転軸に接続されることにより、該回転軸が稼動する時に、該風力発電機を連動して同期的に稼動して発電を生成できる。
また、該ファンブレードが回転軸に沿って後ろ向きに延伸する設計により、
ファンブレードが回転軸上に固定でき、そのファンブレードが回転軸より外向きに放射して延伸する。
また、該回転軸の末端に一つの風向ガイドプレートが設けられ、
該風力発電機が一つの回転プラットフォームの上に設けられ、
該回転プラットフォームがブラケットにて互いに該回転軸に接続されることにより、該回転軸、該ウィンドディスクと該風力発電機が、該回転プラットフォームの上に時計回り方向又は反時計回り方向へ向けて回転でき、且つ
該回転プラットフォームが一つのベース台の上に設けられることにより、該風向ガイドプレートにて、該回転軸と該ウィンドディスクは、風向に連れて転向し、来る風を迎えることができ、そして風力をもっと収集しやすくなる。
【手続補正書】
【提出日】令和2年3月25日(2020.3.25)
【手続補正１】
【補正対象書類名】実用新案登録請求の範囲
【補正対象項目名】全文
【補正方法】変更
【補正の内容】
【実用新案登録請求の範囲】
【請求項１】
一つのテーパー状のウィンドディスクを含み、
該ウィンドディスクに一つの大面積の入り口が設けられ、
該ウィンドディスクが風力を収集することにより、当該風力でファンブレードが稼動されることを特徴とする、タービン風力発電機。
【請求項２】
該タービン風力発電機は、更に複数個のファンブレードを含んでなり、
該ファンブレードが、該ウィンドディスクの比較的小さい面積の出口後方における一つの風洞の内に設けられることにより、風力を外向きに分散しないことを特徴とする、請求項１に記載のタービン風力発電機。
【請求項３】
該ファンブレードが、風洞の内に設置され、等価な角度により一つの回転軸の上に均一に設置され、更に60度に等しいか又は小さい角度により後ろ向きに延伸し且つ該回転軸の上に固定され、そして風によりプッシュされて稼動でき、ファンブレードを後ろ向きに延伸する設計により、ファンブレードの風当たり面積を増加して風力のピックアップ能力を増進し、発電の効率を向上することを特徴とする、請求項２に記載のタービン風力発電機。
【請求項４】
該タービン風力発電機は、一つの風力発電機を更に含んでなり、
該風力発電機が一つのアクチュエータを介して互いに該回転軸に接続されることにより、該回転軸が稼動する時に、該風力発電機を連動して同期的に稼動して発電を生成できることを特徴とする、請求項３に記載のタービン風力発電機。
【請求項５】
該ファンブレードが回転軸に沿って後ろ向きに延伸する設計により、
ファンブレードが回転軸上に固定でき、そのファンブレードが回転軸より外向きに放射して延伸することを特徴とする、請求項４に記載のタービン風力発電機。
【請求項６】
該回転軸の末端に一つの風向ガイドプレートが設けられ、
該風力発電機が一つの回転プラットフォームの上に設けられ、
該回転プラットフォームがブラケットにて互いに該回転軸に接続されることにより、該回転軸、該ウィンドディスクと該風力発電機が、該回転プラットフォームの上に時計回り方向又は反時計回り方向へ向けて回転でき、且つ
該回転プラットフォームが一つのベース台の上に設けられることにより、該風向ガイドプレートにて、該回転軸と該ウィンドディスクは、風向に連れて転向し、来る風を迎えることができ、そして風力をもっと収集しやすくなることを特徴とする、請求項５に記載のタービン風力発電機。